(57)【要約】      （修正有）【課題】オーディオバランスケーブルを提供する。【解決手段】メインケーブル２と、メインケーブルの一端に設置されるプラグ１と、メインケーブルの他端に設置されるスプリッタ１１と、スプリッタに近接するメインケーブルの外部に設置される強力な磁石３と、強力な磁石の外部に設置される保護カバー１２と、スプリッタの側面に設置される左チャンネルケーブル４と、左チャンネルケーブルの傍に設置される右チャンネルケーブル１０と、左チャンネルケーブルの末端に設置される左イヤホン６と、右チャンネルケーブルの末端に設置される右イヤホン８と、左チャンネルケーブル及び右チャンネルケーブルの内部に共に設置される陽極線５と、陽極線の傍に設置される接地線７と、接地線の傍に設置される負極線９とを備える。本考案は、導電率がより速く大きくなり、音声がよりクリアになり、音質も向上し、且つ強力な磁石によりオーディオ信号の伝送の集中増幅効果が更に高まる。【選択図】図１
0003217250.tif 000002
【実用新案登録請求の範囲】
【請求項１】
メインケーブルと、前記メインケーブルの一端に設置されるプラグと、前記メインケーブルの他端に設置されるスプリッタと、前記スプリッタに近接する前記メインケーブルの外部に設置される強力な磁石と、前記強力な磁石の外部に設置される保護カバーと、前記スプリッタの側面に設置される左チャンネルケーブルと、前記左チャンネルケーブルの傍に設置される右チャンネルケーブルと、前記左チャンネルケーブルの末端に設置される左イヤホンと、前記右チャンネルケーブルの末端に設置される右イヤホンと、前記左チャンネルケーブル及び前記右チャンネルケーブルの内部に共に設置される陽極線と、前記陽極線の傍に設置される接地線と、前記接地線の傍に設置される負極線とを備えることを特徴とするオーディオバランスケーブル。
【請求項２】
前記メインケーブルは前記プラグに連結され、前記プラグは２．５ｍｍまたは３．５ｍｍの内の何れか１種類であることを特徴とする請求項１に記載のオーディオバランスケーブル。
【請求項３】
前記強力な磁石は円柱状を呈し、前記強力な磁石の隙間は前記メインケーブルの外部に嵌合させるのに適合することを特徴とする請求項１に記載のオーディオバランスケーブル。
【請求項４】
前記メインケーブル及び前記スプリッタは射出成形により一体で成形され、前記保護カバーは前記強力な磁石の外部を被覆させ、前記保護カバーの両端は前記メインケーブル及び前記スプリッタと共に一体に成形されることを特徴とする請求項１に記載のオーディオバランスケーブル。
【請求項５】
前記保護カバーは非鉄材質材料で製造されることを特徴とする請求項１に記載のオーディオバランスケーブル。
【請求項６】
前記陽極線、前記接地線、及び前記負極線は並列して前記左チャンネルケーブル及び前記右チャンネルケーブルの内部に射出成形されることを特徴とする請求項１に記載のオーディオバランスケーブル。
【請求項７】
前記負極線の断面積は前記陽極線の断面積の２倍以上大きいことを特徴とする請求項１に記載のオーディオバランスケーブル。
【考案の詳細な説明】
【技術分野】
【０００１】
本考案は、電子の分野に関し、より詳しくは、オーディオバランスケーブルに関する。
【背景技術】
【０００２】
バランスケーブルは伝送効果が最も理想的なオーディオ信号ケーブルである。伝送させる信号はアナログオーディオ信号ではあるが、但し、構造及び伝送原理に違いがあり、普通のオーディオケーブルは各一本が単芯で信号を伝送させ、遮蔽層が「接地線」も兼ねる。バランスケーブルは各一本が２芯で信号を伝送させ、更に別の１本の芯が独立した接地線となり、遮蔽層とは別に動作する。このため、伝送ロスが最低まで抑えられ、且つ外からの様々な干渉を効果的に消除させ、高忠実度のオーディオ信号を伝送させる目的を達成させる。アナログオーディオケーブルは実際に常用される普通のオーディオケーブルであり、伝送させるのはアナログオーディオ信号であり、デジタルオーディオ信号ではないため、正確にはアナログオーディオケーブルと呼ばれ、通常は中低級の音響機器や他のＡＶ機器（例えば、ビデオカメラ）で使用されている。バランスケーブルが伝送させるのもアナログオーディオ信号であるが、その構造及び伝送原理はアナログオーディオケーブルとは異なるため、両者の伝送効果には違いがある。同じ等級で比較すると、バランスケーブルによる伝送の方が、忠実度がやや高く、よって高級または人気のある音響機器に使用されている。
【考案の概要】
【考案が解決しようとする課題】
【０００３】
しかしながら、現在市場に出回るものは負極線及び陽極線の断面積が同じものを採用しており、音質が理想には達していなかった。
【０００４】
そこで、本考案者は上記の欠点が改善可能と考え、鋭意検討を重ねた結果、合理的設計で上記の課題を効果的に改善する本考案の提案に到った。
【０００５】
本考案はこうした状況に鑑みてなされたものであり、その目的は、オーディオバランスケーブルを提供することにある。
【課題を解決するための手段】
【０００６】
上記課題を解決するために、本考案のある態様のオーディオバランスケーブルは、メインケーブルと、前記メインケーブルの一端に設置されるプラグと、前記メインケーブルの他端に設置されるスプリッタと、前記スプリッタに近接する前記メインケーブルの外部に設置される強力な磁石と、前記強力な磁石の外部に設置される保護カバーと、前記スプリッタの側面に設置される左チャンネルケーブルと、前記左チャンネルケーブルの傍に設置される右チャンネルケーブルと、前記左チャンネルケーブルの末端に設置される左イヤホンと、前記右チャンネルケーブルの末端に設置される右イヤホンと、前記左チャンネルケーブル及び前記右チャンネルケーブルの内部に共に設置される陽極線と、前記陽極線の傍に設置される接地線と、前記接地線の傍に設置される負極線とを備える。
【０００７】
好ましくは、前記メインケーブルは前記プラグに連結され、前記プラグは２．５ｍｍまたは３．５ｍｍの内の何れか１種類である。
【０００８】
好ましくは、前記強力な磁石は円柱状を呈し、前記強力な磁石の隙間は前記メインケーブルの外部に嵌合させるのに適合する。
【０００９】
好ましくは、前記メインケーブル及び前記スプリッタは射出成形により一体で成形され、前記保護カバーは前記強力な磁石の外部を被覆させ、前記保護カバーの両端は前記メインケーブル及び前記スプリッタと共に一体に成形される。
【００１０】
好ましくは、前記保護カバーは非鉄材質材料で製造される。
【００１１】
好ましくは、前記陽極線、前記接地線、及び前記負極線は並列して前記左チャンネルケーブル及び前記右チャンネルケーブルの内部に射出成形される。
【００１２】
好ましくは、前記負極線の断面積は前記陽極線の断面積の２倍以上大きい。
【考案の効果】
【００１３】
本考案によれば、負極線の断面積が陽極線の断面積よりもずっと大きく、導電率がより速く大きくなり、音声がよりクリアになり、音質も向上し、且つ前記強力な磁石によりオーディオ信号の伝送の集中増幅効果が更に高まる。
【図面の簡単な説明】
【００１４】
【図１】本考案の好ましい実施形態に係るオーディオバランスケーブルを示す分解図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１６】
本考案のオーディオバランスケーブルは、メインケーブル２と、メインケーブル２の一端に設置されるプラグ１と、メインケーブル２の他端にメインケーブル２を分割させるためのスプリッタ１１が設置され、スプリッタ１１に近接するメインケーブル２の外部に設置される強力な磁石３と、磁場を発生させてオーディオ信号の伝送をより集中させるために用いられる強力な磁石３の外部に設置されると共に強力な磁石３の磁力が外部に拡散するのを阻止させるための保護カバー１２と、スプリッタ１１の側面に設置される左チャンネルケーブル４と、左チャンネルケーブル４の傍に設置される右チャンネルケーブル１０と、左チャンネルケーブル４の末端に設置される左イヤホン６と、右チャンネルケーブル１０の末端に設置される右イヤホン８と、左チャンネルケーブル４及び右チャンネルケーブル１０の内部に共に設置される陽極線５と、陽極線５の傍に設置される接地線７と、接地線７の傍に設置される負極線９とを備える。
【００１７】
さらに、メインケーブル２はプラグ１に連結され、プラグ１は２．５ｍｍまたは３．５ｍｍの内の何れか１種類であり、強力な磁石３は円柱状を呈し、強力な磁石３の隙間はメインケーブル２の外部に嵌合させるのに適合する。メインケーブル２及びスプリッタ１１は一体で射出成形され、保護カバー１２は強力な磁石３の外部を被覆させ、保護カバー１２の両端はメインケーブル２及びスプリッタ１１と共に一体に成形され、保護カバー１２は非鉄材質材料で製造される。陽極線５、接地線７、及び負極線９は並列して左チャンネルケーブル４及び右チャンネルケーブル１０の内部に射出成形され、負極線９の断面積は陽極線５の断面積の２倍以上大きい。
【００１８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１９】
１  プラグ
２  メインケーブル
３  強力な磁石
４  左チャンネルケーブル
５  陽極線
６  左イヤホン
７  接地線
８  右イヤホン
９  負極線
１０  右チャンネルケーブル
１１  スプリッタ
１２  保護カバー
【図１】
0003217250.tif 000003